(57)【要約】【課題】臨場感を増大させることができる投球装置を提供すること。【解決手段】本発明では、映像を表示する表示手段の後方に投球手段を配置し、前記表示手段で表示した映像に同期して前記投球手段から球を投出す投球装置において、前記表示手段は、少なくとも左右いずれか一側部に、投球手段から投出された球を通過させるための切欠部を形成することにした。特に、前記表示手段は、シート状のスクリーンと同スクリーンの周囲を保持する枠体とを有し、前記スクリーン及び枠体の少なくとも左右いずれか一側部を切欠することによって前記切欠部を形成し、しかも、前記枠体に一体的に形成した補強フレームで前記スクリーンの切欠部分を補強し、また、前記スクリーン及び枠体を支持枠で支持し、同支持枠の一側部を切欠し、その切欠部分を補強フレームで補強することにした。【選択図】      図１
2004329425.tif 000002
【特許請求の範囲】
【請求項１】
映像を表示する表示手段の後方に投球手段を配置し、前記表示手段で表示した映像に同期して前記投球手段から球を投出す投球装置において、
前記表示手段は、少なくとも左右いずれか一側部に、投球手段から投出された球を通過させるための切欠部を形成したことを特徴とする投球装置。
【請求項２】
前記表示手段は、シート状のスクリーンと同スクリーンの周囲を保持する枠体とを有し、前記スクリーン及び枠体の少なくとも左右いずれか一側部を切欠することによって前記切欠部を形成し、しかも、前記枠体に一体的に形成した補強フレームで前記スクリーンの切欠部分を補強したことを特徴とする請求項１に記載の投球装置。
【請求項３】
前記スクリーン及び枠体を支持枠で支持し、同支持枠の一側部を切欠し、その切欠部分を補強フレームで補強したことを特徴とする請求項２に記載の投球装置。
【発明の詳細な説明】
【０００１】
【発明の属する技術分野】
本発明は、投球装置に関するものである。特に、映像を表示する表示手段の後方に投球手段を配置し、前記表示手段で表示した映像に同期して前記投球手段から球を投出す投球装置に関するものである。
【０００２】
【従来の技術】
従来よりバッティングセンターやゲームセンターなどに設置される野球・テニス・サッカーなどの練習器具として、映像を表示するスクリーンの後方にピッチングマシンを配置し、スクリーン上に表示した映像に同期してピッチングマシンから使用者に向けて球を投出す投球装置が使用されている。
【０００３】
かかる従来の投球装置としては、正面視矩形状のスクリーンの後方側部にピッチングマシンを配置して、ピッチングマシンから投出された球がスクリーンの外側部を通過するように構成したものや（たとえば、特許文献１参照）、正面視矩形状のスクリーンに矩形状の貫通孔を穿設し、ピッチングマシンから投出された球がスクリーンに設けられた貫通孔を通過するように構成したものがある（たとえば、特許文献２参照）。
【０００４】
【特許文献１】
特開２００１−２９５２９号公報
【０００５】
【特許文献２】
特開２００２−３６０７５７号公報
【０００６】
【発明が解決しようとする課題】
ところが、上記従来の投球装置のうち、ピッチングマシンから投出された球がスクリーンの外側部を通過するように構成したものにあっては、投出された球とスクリーンとの間の間隔が広く、スクリーンに映し出された投手の指先の映像が球を投出す直前で欠落してしまい、臨場感に欠けており、また、スクリーンに映し出される投手の映像がスクリーンの中央よりも球が通過する側にずれており、使用者に違和感を与えてしまうおそれがあった。
【０００７】
また、ピッチングマシンから投出された球がスクリーンに設けられた貫通孔を通過するように構成したものにあっては、貫通孔の周囲を補強フレームで補強し、その補強フレームをスクリーンを保持する枠体に連結すると、その連結部分によって映像を遮断してしまうことから、貫通孔の周囲を補強することができず、そのため、誤って球が貫通孔の周囲に衝突してスクリーンが破損してしまうおそれがあった。
【０００８】
【課題を解決するための手段】
そこで、請求項１に係る本発明では、映像を表示する表示手段の後方に投球手段を配置し、前記表示手段で表示した映像に同期して前記投球手段から球を投出す投球装置において、前記表示手段は、少なくとも左右いずれか一側部に、投球手段から投出された球を通過させるための切欠部を形成することにした。
【０００９】
また、請求項２に係る本発明では、前記請求項１に係る本発明において、前記表示手段は、シート状のスクリーンと同スクリーンの周囲を保持する枠体とを有し、前記スクリーン及び枠体の少なくとも左右いずれか一側部を切欠することによって前記切欠部を形成し、しかも、前記枠体に一体的に形成した補強フレームで前記スクリーンの切欠部分を補強することにした。
【００１０】
また、請求項３に係る本発明では、前記請求項２に係る本発明において、前記スクリーン及び枠体を支持枠で支持し、同支持枠の一側部を切欠し、その切欠部分を補強フレームで補強することにした。
【００１１】
【発明の実施の形態】
本発明に係る投球装置は、映像を表示する表示手段の後方に投球手段を配置し、予め撮影しておいた投手の投球動作の映像を映写手段を用いて表示手段に表示するとともに、表示手段で表示した投手の投球動作の映像に同期して投球手段から球を使用者に向けて投出すものである。
【００１２】
しかも、表示手段は、シート状のスクリーンと同スクリーンの周囲を保持する枠体とを有し、スクリーン及び枠体の少なくとも左右いずれか一側部を切欠することによって前記切欠部を形成するとともに、枠体に一体的に形成した補強フレームでスクリーンの切欠部分を補強し、さらには、スクリーン及び枠体を支持枠で支持し、同支持枠の一側部を切欠し、その切欠部分を補強フレームで補強したものである。ここで、切欠部は、表示手段の側辺中途部に正面視「コ」字状に形成したものでもよく、また、表示手段の側辺上部に正面視「Ｌ」字状に形成したものでもよい。
【００１３】
このように、本発明では、表示手段の少なくとも左右いずれか一側部に投球手段から投出された球を通過させるための切欠部を形成しているため、投出された球とスクリーンの端縁との間の間隔を可及的に狭くすることができ、スクリーンに映し出された投手の指先の映像が球を投出す直前で欠落するのを防止することができるので、実在の投手から球が投出されたように感じさせることができ、臨場感を増大させることができる。
【００１４】
また、スクリーンに映し出される投手の映像をスクリーンの中央部に位置させることができるので、使用者に違和感を与えることがなく、これによっても、実在の投手から球が投出されたように感じさせることができ、臨場感を増大させることができる。
【００１５】
さらに、球が通過する切欠部を表示手段の側部に形成しているため、切欠部を表示手段の側部で補強することができ、誤って球が表示手段の切欠部に衝突しても、表示手段が破損してしまうのを未然に防止することができ、しかも、補強のための部材が表示手段を横切って映像を遮断してしまうのを防止することができる。
【００１６】
特に、表示手段をシート状のスクリーンと同スクリーンの周囲を保持する枠体とから構成し、スクリーン及び枠体の少なくとも左右いずれか一側部を切欠することによって切欠部を形成し、しかも、枠体に一体的に形成した補強フレームでスクリーンの切欠部分を補強した場合には、スクリーンの切欠部分の強度を高めることができ、誤って球がスクリーンの切欠部分に衝突しても、スクリーンが破損してしまうのを未然に防止することができる。
【００１７】
また、スクリーン及び枠体を支持枠で支持し、同支持枠の一側部を切欠し、その切欠部分を補強フレームで補強した場合には、支持枠の切欠部分の強度を高めることができ、誤って球が支持枠の切欠部分に衝突しても、支持枠が破損してしまうのを未然に防止することができる。
【００１８】
以下に本発明の具体的な実施の形態について図面を参照しながら説明する。なお、以下の説明では本発明に係る投球装置としてバッティングセンターに設置される野球用の練習器具を用いて説明しているが、本発明に係る投球装置は、野球用の練習器具に限られず、テニスやサッカーなどの球技用の練習器具に広く適用することができるものである。
【００１９】
本発明に係る投球装置１は、図１に示すように、バッティングセンターに設けた打席２の正面に配置されており、制御手段３に投球手段４と映写手段５とを接続し、これらの制御手段３、投球手段４、映写手段５を表示手段６の後方に配置している。
【００２０】
制御手段３は、予め撮影した投手の投球動作の映像を記憶しており、その映像信号を映写手段５に送信するとともに、所定のタイミングで投球手段４に駆動信号を送信するようになっている。
【００２１】
投球手段４は、駆動制御可能なピッチングマシンであり、制御手段３からの駆動信号によって球を打席２に立つ打者に向けて投球するようになっている。
【００２２】
映写手段５は、液晶プロジェクターであり、制御手段３から送信された映像信号によって表示手段６に向けて投手の投球動作の映像を映写するようになっている。
【００２３】
表示手段６は、半透過型スクリーンであり、映写手段５によって映写された投球動作の映像を打席２に立つ打者に向けて映像を表示するようになっている。
【００２４】
かかる表示手段６は、図２及び図３に示すように、地上に固定した支持枠７でシート状の表示体８を支持しており、支持枠７及び表示体８の正面視で右側上部に投球手段４から投出された球を通過させるための切欠部９，１０をそれぞれ形成している。なお、本実施例では、切欠部９，１０を表示手段６の側辺中途部に正面視「コ」字状に形成しているが、これに限定されるものではなく、表示手段６の側辺上部に正面視「Ｌ」字状に形成してもよい。
【００２５】
支持枠７の具体的な構造について説明すると、図２及び図３に示すように、支持枠７は、地上に立設した上下方向に向けて伸延させた左右一対の縦フレーム１１，１２の上端部間及び下部間に左右方向に向けて伸延させた上下一対の横フレーム１３，１４を架設している。
【００２６】
右側の縦フレーム１２は、中途上部で切欠されており、上下方向に向けて伸延させた下側縦フレーム１５の上端部と上側縦フレーム１６の下端部との間にコ字状の補強フレーム１７を一体的に取付け、同補強フレーム１７で支持枠７の切欠部９を補強している。
【００２７】
また、支持枠７は、下側の横フレーム１４の裏側に側面視でＬ字状の載置台１８を取付けており、同載置台１８の上部にスクリーン８を載置するようにしている。
【００２８】
そして、支持枠７は、左右の縦フレーム１１，１２の下端部を地上に座体１９を介して固定している。
【００２９】
一方、表示体８の具体的な構造について説明すると、図４及び図５に示すように、表示体８は、スクリーン２４の周囲を枠体２８で保持しており、枠体２５は、上下方向に向けて伸延させた左右一対の縦フレーム２０，２１の上端部間及び下端部間に左右方向に向けて伸延させた上下一対の横フレーム２２，２３を架設している。そして、枠体２５の縦フレーム２０，２１及び横フレーム２２，２３の内側にシート状の半透過型のスクリーン２８を嵌入している。
【００３０】
右側の縦フレーム２１は、中途上部で切欠されており、上下方向に向けて伸延させた下側縦フレーム２５の上端部と上側縦フレーム２６の下端部との間にコ字状の補強フレーム２７を一体的に取付け、同補強フレーム２７で表示体８の切欠部１０を補強している。
【００３１】
そして、投球装置１は、映写手段５によって表示手段６の表示体８に投手の投球動作の映像を打席２に立つ打者に向けて表示させるとともに、表示した投球動作の映像に同期して投球手段４から打者に向けて球を投出すようになっている。
【００３２】
しかも、投球装置１は、表示手段６の右側部に切欠部９，１０を形成して、投球手段４から投出された球が表示手段６の切欠部９，１０を通過するようにしている。
【００３３】
そのため、投球手段４から投出された球と表示手段６の端縁との間の間隔を可及的に狭くすることができ、表示手段６に映し出された投手の指先の映像が球を投出す直前で欠落するのを防止することができ、実在の投手から球が投出されたように感じさせることができ、臨場感を増大させることができる。
【００３４】
また、表示手段６に映し出される投手の映像を表示体８の中央部に位置させることができるので、使用者に違和感を与えることがなく、これによっても、実在の投手から球が投出されたように感じさせることができ、臨場感を増大させることができる。
【００３５】
さらに、球が通過する切欠部９，１０を表示手段６の側部に形成しているため、切欠部９，１０を表示手段６の側部で補強することができ、誤って球が表示手段６の切欠部９，１０に衝突しても、表示手段６が破損してしまうのを未然に防止することができ、しかも、補強のための部材が表示手段６を横切って映像を遮断してしまうのを防止することができる。
【００３６】
また、上記の投球装置１では、図１に示すように、映写手段５によって表示手段６の切欠部９，１０にも映写を行って、切欠部９，１０を通過する直前の球に光を当てるようにしており、これにより、球が切欠部９，１０を通過する前から打席２に立つ打者が球を視認することができるようにしている。
【００３７】
また、上記の投球装置１では、表示手段６をシート状のスクリーン２４と同スクリーン２４の周囲を保持する枠体２８とから構成し、スクリーン２４及び枠体２８の側部を切欠することによって切欠部９，１０を形成し、しかも、枠体２８に一体的に形成した補強フレーム２７でスクリーン２４の切欠部分を補強しているため、スクリーン２４の切欠部分の強度を高めることができ、誤って球がスクリーン２４の切欠部分に衝突しても、スクリーン２４が破損してしまうのを未然に防止することができる。
【００３８】
また、上記の投球装置１では、スクリーン２４及び枠体２８を支持枠７で支持し、同支持枠７の側部を切欠し、その切欠部分を補強フレーム１７で補強しているため、支持枠７の切欠部分の強度を高めることができ、誤って球が支持枠７の切欠部分に衝突しても、支持枠７が破損してしまうのを未然に防止することができる。
【００３９】
【発明の効果】
本発明は、以上に説明したような形態で実施され、以下に記載されるような効果を奏する。
【００４０】
すなわち、請求項１に係る本発明では、映像を表示する表示手段の後方に投球手段を配置し、前記表示手段で表示した映像に同期して前記投球手段から球を投出す投球装置において、前記表示手段は、少なくとも左右いずれか一側部に、投球手段から投出された球を通過させるための切欠部を形成しているため、投出された球とスクリーンの端縁との間の間隔を可及的に狭くすることができ、スクリーンに映し出された投手の指先の映像が球を投出す直前で欠落するのを防止することができるので、実在の投手から球が投出されたように感じさせることができ、臨場感を増大させることができる。
【００４１】
また、スクリーンに映し出される投手の映像をスクリーンの中央部に位置させることができるので、使用者に違和感を与えることがなく、これによっても、実在の投手から球が投出されたように感じさせることができ、臨場感を増大させることができる。
【００４２】
さらに、球が通過する切欠部を表示手段の側部に形成しているため、切欠部を表示手段の側部で補強することができ、誤って球が表示手段の切欠部に衝突しても、表示手段が破損してしまうのを未然に防止することができ、しかも、補強のための部材が表示手段を横切って映像を遮断してしまうのを防止することができる。
【００４３】
また、請求項２に係る本発明では、表示手段をシート状のスクリーンと同スクリーンの周囲を保持する枠体とから構成し、スクリーン及び枠体の少なくとも左右いずれか一側部を切欠することによって切欠部を形成し、しかも、枠体に一体的に形成した補強フレームでスクリーンの切欠部分を補強しているため、スクリーンの切欠部分の強度を高めることができ、誤って球がスクリーンの切欠部分に衝突しても、スクリーンが破損してしまうのを未然に防止することができる。
【００４４】
また、請求項３に係る本発明では、スクリーン及び枠体を支持枠で支持し、同支持枠の一側部を切欠し、その切欠部分を補強フレームで補強しているため、支持枠の切欠部分の強度を高めることができ、誤って球が支持枠の切欠部分に衝突しても、支持枠が破損してしまうのを未然に防止することができる。
【図面の簡単な説明】
【図１】本発明に係る投球装置を示す平面図。
【図２】表示手段を示す正面図。
【図３】同側面図。
【図４】スクリーンを示す正面図。
【図５】同断面拡大図。
【符号の説明】
１  投球装置
２  打席
３  制御手段
４  投球手段
５  映写手段
６  表示手段
７  支持枠
８  スクリーン
９，１０  切欠部
１７  補強フレーム
２４  スクリーン
２７  補強フレーム
２８  枠体
【図１】
2004329425.tif 000003
【図２】
2004329425.tif 000004
【図３】
2004329425.tif 000005
【図４】
2004329425.tif 000006
【図５】
2004329425.tif 000007